(57)【特許請求の範囲】
【請求項１】
美容状態向上あるいは健康状態向上のために設定された複数のコースを提示するコース提示装置の作動方法であって、
もぐさを原料とした灸材から形成された固形体を用い、当該固形体に赤外線を照射して無煙の灸ガスを生成する灸薬効ガス生成手段、及び灸薬効ガスを身体の一部であって灸薬効の対象とされた部位を局所的に広域に含んだ広域領域に吹きかける吹きかけ手段を備えて、当該広域領域に灸薬効ガス吹きかけステップを実行可能な灸薬効ガス吹きかけ装置及び当該灸薬効ガス吹きかけ装置に対応して設けられるコース提示装置が準備され、当該コース提示装置が格納手段を備えて、当該格納手段に、身体上の灸薬効の対象とされた当該広域領域についての広域部位データが格納されて、準備され、
当該コース提示装置が、
身体上の美容処置あるいは健康処置の複数のステップからなり、かつ時系列で形成された、施術者の持つ現状の複数のコースについてのコースデータから取得されたコースごとに、コースを構成する身体上の美容処置あるいは健康処置ステップに施術者からの指示に対応して灸薬効ガス吹きかけ装置による灸薬効ガス吹きかけステップを組み合わせて時系列に整列させた素コースを画面に表示し、
当該画面上に表示された素コースにおける灸薬効ガス吹きかけステップが指定されると、前記広域部位データに基づいて、当該広域領域への灸薬効ガス吹きかけ実行ステップを画面に表示し、
一つもしくは複数の当該広域領域への灸薬効ガス吹きかけ実行ステップを取得し、前記画面に表示された灸薬効ガス吹きかけステップを、取得された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを画面に表示し、
当該実行コースを画面に表示して、当該実行コースについて承認確定するため利用者承認確定に供し、実行コースの承認確定画面を決定すること
を特徴とするコース提示装置の作動方法。
【請求項２】
美容状態向上あるいは健康状態向上のために設定された複数のコースを提示するコース提示装置の作動方法であって、
もぐさを原料とした灸材から形成された固形体を用い、当該固形体に赤外線を照射して無煙の灸ガスを生成する灸薬効ガス生成手段、及び灸薬効ガスを身体の一部であって灸薬効の対象とされた部位を局所的に広域に含んだ広域領域に吹きかける吹きかけ手段を備えて、当該広域領域に灸薬効ガス吹きかけステップを実行可能な灸薬効ガス吹きかけ装置及び当該灸薬効ガス吹きかけ装置に対応して設けられるコース提示装置が準備され、当該コース提示装置が格納手段を備えて、当該格納手段に、当該広域領域についての広域部位データが格納されて、準備され、
当該コース提示装置が、
身体上の美容処置あるいは健康処置の複数のステップの組み合わせで、かつ時系列で形成された現状の複数のコースについてのコースデータを取得し、
身体上の美容処置あるいは健康処置の複数のステップからなり、かつ時系列で形成された、施術者の持つ現状の複数のコースについてのコースデータから取得されたコースごとに、コースを構成する身体上の美容処置あるいは健康処置ステップに施術者からの指示に対応して灸薬効ガス吹きかけ装置による灸薬効ガス吹きかけステップを組み合わせて時系列に整列させた素コースを取得し、
一つもしくは複数の当該広域領域への灸薬効ガス吹きかけ実行ステップを取得し、画面に表示された灸薬効ガス吹きかけステップを、取得された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを取得し、
当該実行コースを画面に表示して、当該実行コースについて承認確定するため利用者承認確定に供し、実行コースの承認確定画面を決定し、
当該実行コース上で、灸薬効ガス吹きかけがなされる広域領域についての広域部位データを持つこと
を特徴とするコース提示装置の作動方法。
【請求項３】
請求項１又は２に記載されたコース提示装置の作動方法であって、
複数のブロック欄が羅列され、これらのブロック欄に施術者ごとに複数のステップ及びその内の一つのブロックに灸薬効ガス吹きかけステップが記載可能とされた画面が準備されることを特徴とするコース提示装置の作動方法。
【請求項４】
美容状態向上あるいは健康状態向上のために設定された複数のコースがコース提示装置に提示され、いずれかのコースが実行されることによる美容処置効果向上方法あるいは健康処置効果向上方法に用いられる美容処置効果向上あるいは健康処置効果向上のための装置において、
もぐさを原料とした灸材から形成された固形体を用い、当該固形体に赤外線を照射して無煙の灸ガスを生成する灸薬効ガス生成手段、及び灸薬効ガスを身体の患部であって灸薬効の対象とされた部位を局所的に広域に含んだ広域領域に吹きかける吹きかけ手段を備えて、当該広域領域に灸薬効ガス吹きかけステップを実行可能な灸薬効ガス吹きかけ装置及び当該灸薬効ガス吹きかけ装置に対応して設けられるコース提示装置からなり、
当該コース提示装置が、
格納手段を備えて、当該格納手段に、身体上の灸薬効の対象とされた当該広域領域についての広域部位データが格納され、
身体上の美容処置あるいは健康処置の複数のステップの組み合わせで、かつ時系列で形成された現状の複数のコースについてのコースデータを取得し、  
画面表示手段を備えて、画面に、前記コースデータから取得された、前記コースを複数表示し、
身体上の美容処置あるいは健康処置の複数のステップからなり、かつ時系列で形成された、施術者の持つ現状の複数のコースについてのコースデータから取得されたコースごとに、コースを構成する身体上の美容処置あるいは健康処置ステップに施術者からの指示に対応して灸薬効ガス吹きかけ装置による灸薬効ガス吹きかけステップを組み合わせて時系列に整列させた素コースを取得し、
一つもしくは複数の当該広域領域への灸薬効ガス吹きかけ実行ステップを取得し、前記画面に表示された灸薬効ガス吹きかけステップを、取得された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを取得し、
取得された複数の実行コースが前記格納手段に格納され、
当該実行コースを画面に表示して、当該実行コースについて承認確定するため利用者承認確定に供し、実行コースの承認確定画面を決定すること
を特徴とする美容処置効果向上方法あるいは健康処置効果向上方法に用いられる美容処置効果向上あるいは健康処置効果向上のための装置。
【請求項５】
請求項４に記載された美容処置効果向上方法あるいは健康処置効果向上方法に用いられる美容処置効果向上あるいは健康処置効果向上のための装置において、
前記格納手段に、複数のブロック欄が羅列され、これらのブロック欄に専門業者ごとに複数のステップ及びその内の一つのブロックに灸薬効ガス吹きかけステップが記載可能とされた画面が格納され、
前記画面表示手段が、格納された画面を表示し、
当該コース提示装置が、
身体上の美容処置あるいは健康処置の複数のステップからなり、かつ時系列で形成された、施術者の持つ現状の複数のコースについてのコースデータから取得されたコースごとに、コースを構成する身体上の美容処置あるいは健康処置ステップに施術者からの指示に対応して灸薬効ガス吹きかけ装置による灸薬効ガス吹きかけステップを組み合わせて時系列に整列させた素コースを形成し、
一つもしくは複数の当該広域領域への灸薬効ガス吹きかけ実行ステップを取得し、前記画面に表示された灸薬効ガス吹きかけステップを、取得された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを形成すること
を特徴とする美容処置効果向上方法あるいは健康処置効果向上方法に用いられる美容処置効果向上あるいは健康処置効果向上のための装置。
【発明の詳細な説明】
【技術分野】
【０００１】
本発明は、身体上の美容処置あるいは健康処置の効果を向上させる美容処置効果向上方法あるいは健康処置効果向上方法、及び当該身体上の美容処置あるいは健康処置の効果を向上させる美容処置効果向上方法あるいは健康処置効果向上方法に用いられる美容処置効果向上あるいは健康処置効果向上のための装置に関する。
【背景技術】
【０００２】
美容上あるいは健康上の身体のケアを専門とする施術者によって美容状態向上あるいは健康状態向上のために設定された複数のコースに対応してなされる、身体上の美容処置あるいは健康処置の効果を向上させる美容処置効果向上方法あるいは健康処置効果向上方法が採用される。
【０００３】
肌の感受性と肌の代謝特性とを指標としてエステイックコースが多数提案され、個人に的確に対応したエステイックコースが選択される。健康状態向上の場合も同様である。
【０００４】
特許文献１には、漢方医学に基づくツボと身体の関係から美容に関連するツボが推測され、美容に関連するツボが選定され、選定されたツボを鍼、低周波もしくは指圧により刺激して美容効果を得るようにした美容方法が記載される。
【０００５】
特許文献２には、エステイックコースの選択方法が記載される。
【０００６】
特許文献３には、各種のハーブの組み合わせを用いた健康増進トリートメント方法及び健康増進トリートメント装置が記載される。
【０００７】
特許文献４には、エステケアプログラムを用いたエステケア提供装置が記載される。
【０００８】
特許文献５には、坐浴器本体の中央に赤外線ランプが設けられ、前後には水タンクと、よもぎを蒸気で加熱し、よもぎ蒸気を発生させるよもぎ蒸気発生装置が記載される。
【先行技術文献】
【特許文献】
【０００９】
【特許文献１】特開２０００−２０１９９７号公報
【特許文献２】特開２００３−２５０８０５号公報
【特許文献３】特許第６２７７３１５号公報
【特許文献４】特許第３８４７２７０号公報
【特許文献５】実用新案登録第３０６９１１０号公報
【発明の概要】
【発明が解決しようとする課題】
【００１０】
日本に古くから伝わる「お灸」で身体を芯からあたため、血行を改善することがなされてきた。お灸は、古来より健康を維持・回復させるための治療方法として根付いてきた。お灸を身体に施すことで、血流が増え、代謝を上げることができ、また白血球を増加させる効果がある為、身体を病原菌から防御することができるといわれる。
【００１１】
このようにお灸には優れた点がいくつもあるが、よもぎからできた「もぐさ」を直接皮膚の上にのせるお灸、あるいは台座の上に「もぐさ」をのせるお灸が一般的であり、お灸といえば、熱そう、臭いがきつそうというイメージが先に立ってお灸の持つ効果が充分に発揮されることの障害となっている。
【００１２】
最近に至って、もぐさを原料とした灸材から形成された固形体を用い、当該固形体に赤外線を照射して無煙の灸ガスを生成する灸薬効ガス生成手段、及び灸薬効ガスを身体の患部であって灸薬効の対象とされた部位に吹きかける吹きかけ手段を備えた灸薬効ガス吹きかけ装置が開発され、市販される。
【００１３】
従来、上述した特許文献に示されるように、美容状態向上あるいは健康状態向上のために設定された複数のコースに対応して各種の身体上の美容処置あるいは健康処置の効果を向上させる美容処置効果向上方法あるいは健康処置効果向上方法が提案されてきた。
【００１４】
本発明は、かかる点に鑑み、これら各種の身体上の美容処置あるいは健康処置の効果を向上させる美容処置効果向上方法あるいは健康処置効果向上方法に、灸薬効ガスを身体の一部であって灸薬効の対象とされた部位に局所的に吹きかけるステップを組み込み得るようにして、従前のお灸が持つ、熱そう、臭いがきつそうというイメージを払しょくしながら、各種の施術者による従前の各種の美容処置コースあるいは健康処置コースに、灸薬効ガス吹きかけステップを簡便に組み込み得て、双方の持つ効果を相乗させ、一層の美容処置効果あるいは健康処置効果を増大させることを課題とする。
【課題を解決するための手段】
【００１５】
図１は、本発明になる、課題を解決する手段の概要について説明する図である。
【００１６】
美容処置効果向上のための装置あるいは健康処置効果向上のための装置１００が、施術者２００の持つ各種コース実施のための装置９、施術者２００に準備される灸薬効ガス吹きかけ装置１０及びコース提示装置１１から構成される。
【００１７】
灸薬効ガス吹きかけ装置１０は、もぐさを原料とした灸材から形成された固形体を用い、当該固形体に赤外線を照射して無煙の灸ガスを生成する灸薬効ガス生成手段、及び灸薬効ガスを身体の一部（例えば患部）であって灸薬効の対象とされた部位を局所的に広域に含んだ広域領域（以下、当該広域領域という）に吹きかける吹きかけ手段を備えて、当該広域領域に灸薬効ガス吹きかけステップを実行可能である。
【００１８】
コース提示装置１１が、施術者の持つ端末、例えばパーソナルコンピュータ（パソコン）、スマートフォン（スマホ）、タブレット内に機能的に構成され、各種コース実施のための装置９及び灸薬効ガス吹きかけ装置１０に対応して設けられる。
【００１９】
コース提示装置１１が格納手段（図２参照）を備えて、当該格納手段に、身体上の灸薬効の対象とされた当該広域領域についての広域部位データを格納する。
【００２０】
当該コース提示装置が、身体上の美容処置あるいは健康処置の複数のステップからなり、かつ時系列で形成された、施術者の持つ現状の複数のコースについてのコースデータから取得されたコースごとに、コースを構成する身体上の美容処置あるいは健康処置ステップに当該施術者からの指示に対応して灸薬効ガス吹きかけ装置による灸薬効ガス吹きかけステップを組み合わせて時系列に整列させた素コースを画面に表示する（１）。
当該灸薬効ガス吹きかけ装置は、当該広域領域に灸薬効ガスを吹きかけることが可能であるので汎用性があり、各種の身体上の美容処置あるいは健康処置に対応することができる。
【００２１】
施術者２００からの指示に基づいて、一つもしくは当該広域領域への灸薬効ガス吹きかけ実行ステップを選択し、前記画面に表示された灸薬効ガス吹きかけステップを、選択された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを画面に表示する（２）。
【００２２】
当該実行コースを画面に表示して、当該実行コースについて承認確定するため利用者承認確定に供し、実行コースの承認確定画面（実行トリートメント）を決定する（３）。
【００２３】
もって、身体上の美容処置あるいは健康処置の効果を向上させる美容処置効果向上方法あるいは健康処置効果向上方法が構成される（４）。
【発明の効果】
【００２４】
本発明は、無煙の灸薬効ガスを生成し、灸薬効ガスを当該広域領域に吹きかけるに際して実行ステップへの書き換え設定がなされて、実行コースが設定されるものであるので、気持ちのよい灸薬効ガス温熱が吹きかけられものであり、当該広域領域に吹きかけるに当たって、熱そう、臭いがきつそうというイメージが払しょくされ、かつ画面表示された上述の２つの画面に基づいて各種の施術者の持つ技術・特技が生かされた身体上の美容処置あるいは健康処置の効果を向上させる美容処置効果向上方法あるいは健康処置効果向上方法が構成される。
【図面の簡単な説明】
【００２５】
【図１】発明になる、課題を解決する手段を説明する図
【図２】発明になる、課題を解決する手段である美容処置効果向上のための装置あるいは健康処置効果向上のための装置を示す図
【図３】灸薬効ガス吹きかけ装置の構成を示す図
【図４】身体及び身体上に表示された灸薬効ガスを身体の一部であって灸薬効の対象とされた局所的に広域に含んだ広域領域の例を示す図
【図５】身体上に表示された灸薬効ガスを身体の一部であって灸薬効の対象とされた局所的に広域に含んだ広域領域の表示例を示す図
【図６】美容処置効果向上あるいは健康処置効果向上のために取得された現状のコースの内、Ａ．美容処置効果向上のための現状コースの例を示す図
【図７】美容処置効果向上あるいは健康処置効果向上のために取得された現状のコースの内、Ｂ．健康処置効果向上のために取得された現状のコースの例を示す図
【図８】美容処置効果向上あるいは健康処置効果向上のために取得された現状のコースの内、Ｃ．美容処置効果向上及び健康処置効果向上のために取得された現状のコースの例を示す図
【図９】美容処置効果向上あるいは健康処置効果向上のために取得された素コースの内、Ａ．美容処置効果向上のための素コースの例を示す図
【図１０】美容処置効果向上あるいは健康処置効果向上のために取得された素コースの内、Ｂ．健康処置効果向上のために取得された素コースの例を示す図
【図１１】美容処置効果向上あるいは健康処置効果向上のために取得された素コースの内、Ｃ．美容処置効果向上及び健康処置効果向上のために取得された素コースの例を示す図
【図１２】美容処置効果向上あるいは健康処置効果向上のために取得された実行コースの内、Ａ．美容処置効果向上のための実行コースの例を示す図
【図１３】美容処置効果向上あるいは健康処置効果向上のために取得された実行コースの内、Ｂ．健康処置効果向上のために取得された実行コースの例を示す図
【図１４】美容処置効果向上あるいは健康処置効果向上のために取得された実行コースの内、Ｃ．美容処置効果向上及び健康処置効果向上のために取得された実行コースの例を示す図
【発明を実施するための形態】
【００２６】
以下、本発明の実施例について、図面を参照して説明する。
【００２７】
本実施例で用いられる用語について説明する。
＜施術者＞  美容上あるいは健康上の身体のケアを専門とする者で、各種コース実施のための装置を備える。例えば、
国家資格の場合：按摩マッサージ指圧師、鍼師、灸師、柔道整復師
民間資格の場合：整体師、カイロプラクター、リフレクソロジスト、セラピスト、ハーブ整体師
＜現状のコース＞  施術者がその専門施術として所有する美容処置あるいは健康処置コース（トリートメントのこと）
＜もぐさ＞  よもぎから作られる。よもぎの葉の裏にある繊毛を精製して作られる。
＜固形体＞  よもぎを原料として作成され、３０分から６０分程度の時間、赤外線の照射が可能とされる。複数個セットにされる。量を調整したものが使用され得る。
＜灸薬効ガス＞  固形体に赤外線を照射すると、エキスがガス化して灸薬効果のあるガスが発生する。
＜コース提示装置＞  コンピュータ、例えばパソコン、スマホ、タブレット内に機能的に構成された装置。
＜素コース＞  施術者の持つ現状の複数のコースについてのコースデータから取得されたコースごとに、コースを構成する身体上の美容処置あるいは健康処置ステップに当該施術者からの指示に対応して灸薬効ガス吹きかけ装置による灸薬効ガス吹きかけステップを組み合わせて時系列に整列させたもの
＜局所＞  病気になると、気血が滞って気血の流れがうまくいかなくなり、停滞する所あるいは患部
＜ツボ＞  病気になると、気血が滞って気血の流れがうまくいかなくなり、停滞する所ができる。この局所がツボとよばれる。本実施例では、近隣の局所であるツボを集合した状態の集合ツボが処置対象となる。
＜当該広域領域＞  近接したいくつかの局所部位をカバーする領域、すなわち部位を広域に含み、拡散のためのスカートの拡大領域で局所的に特定された広域領域
＜部位を局所化された広域に含んだ広域領域＞  当該広域領域のこと。  近接したいくつかの局所である部位を局所的に広域に含んだ広域の領域を形成するが、スカートの広がりによって限られた局所範囲をカバーする領域
＜当該広域領域への灸薬効ガス吹きかけ実行ステップを取得＞  施術者が当該広域領域を自己のコースと関連付けてコース効果の向上のために当該広域領域を画面上で選択指示する場合、あるいは紙上に紙データとして表示された当該広域領域を取得する場合がある。
＜実行ステップ＞  コースからなるステップに組み込まれる灸薬効ガス吹きかけステップ
＜実行コース＞  灸薬効ガス吹きかけステップが組み込まれた素コースに設定された灸薬効ガス吹付ステップを、選択された当該広域領域への灸薬効ガス吹きかけ実行ステップで書き換えることで設定、形成された実行のためのコース。
【００２８】
図１で、発明になる、課題を解決する手段の概要について説明した。
【００２９】
図２は、課題を解決する手段である美容処置効果向上のための装置あるいは健康処置効果向上のための装置について説明する図である。
【００３０】
図２において、当該灸薬効ガス吹きかけ装置１０が、美容上あるいは健康上の身体のケアを専門とする施術者２００の手元に準備される。
【００３１】
図２において、コース提示装置１１は、端末、例えばパソコン、スマホあるいはタブレット内に機能的に構成された演算処理手段１０１、格納手段１０２及び画面表示手段１０３を備える。
【００３２】
演算処理手段１０１は、図１で説明した（１）〜（４）までの機能を有する。より具体的には、コースデータの取得１２２、素コースの取得１２３、実行コースの取得１２４、複数のコース、複数の素コース及び実行コースの画像表示と格納１２５、利用者承認確定画面の決定１２６、承認確定された実行コースの実行１２７及び美容処置効果向上方法あるいは健康処置効果向上方法の構成１２８で示した機能を有する。
【００３３】
格納手段１０２は、
・広域領域部位データ
・コースデータ及びコース表示のためのテンプル図
・素コースデータ
・実行コースデータ
・素コースごとの料金データ
を格納する。その他、各種操作を行うためのプログラム、ソフトウエアが格納される。
【００３４】
広域領域部位データ１２は、灸薬効ガス吹きかけ装置１０を提供する部外のサービス提供者から施術者に提供される。
【００３５】
画面表示手段１０３は、これらの図、具体的には図６〜図１４に示される図を表示する。
【００３６】
図１において、美容処置効果向上のための装置あるいは健康処置効果向上のための装置１００は、薬効ガス吹きかけ装置１０、コース提示装置１１及び広域領域部位データ１２を持って構成される。これらの装置、データを持つ美容処置効果向上のための装置あるいは健康処置効果向上のための装置１００が各種の施術者の手元に準備される。
【００３７】
薬効ガス吹きかけ装置１０に対応してコース提示装置１１が、美容上あるいは健康上の身体のケアを専門とする施術者の手元に準備される。当該コース提示装置が格納手段を備えて、当該格納手段に、身体と身体上の灸薬効の対象とされた当該広域領域についての広域領域部位データ１２が格納され、準備される。
【００３８】
図３は、図２に示される装置に好んで採用される灸薬効ガス吹きかけ装置例の構成を示す図である。
【００３９】
図３において、灸薬効ガス吹きかけ装置１０は、灸薬効ガス生成手段２１、もぐさ原料の固形体２２、局所吹きかけガス誘導手段２３、灸薬効ガス生成手段２１の保持部材２４から構成される。
【００４０】
灸薬効ガス生成手段２１は、上方及び下方に開口した筒状の本体３１を有し、本体内に固形体保持具３２、その上側に設けられた赤外線照射手段３３、その上側に設けられた送風のためのファン３４、本体下部に設けられた止め具３５及びコントロール装置３６を有する。
【００４１】
固形体２２は、もぐさを原料として固形状に形成されたもぐさ入りカセットであり、上下方向に設けられた穿孔２５を有する。固形体２２は、固形体保持具３２に固定されて、本体内に設置され得る。また、固形体２２は、もぐさ入りカセットとされて複数個収納可能なカセット容器に保持され、施術者２００によって適切なステップ時に固形体保持具３２に固着される。
【００４２】
赤外線照射手段３３からの赤外線を固形体２２に照射することで灸薬効ガスが発生され、灸薬効ガスが温められた状態で、ファン３４からの送風によって本体外に送出される。
【００４３】
局所吹きかけガス誘導手段２３は、柔軟性のある樹脂材で形成された末広がり状のスカート４１及び留め具４２を有し、留め具４２を止め具３５に保持することで上方部が本体３１に密封固着され、下方部が開放された形状とされる。吹きかけガス誘導手段２３は、本体３１から送出された灸薬効ガスを引き入れ、スカート形状に沿って拡大拡散させる。当該広域領域が決定付けられる。
【００４４】
灸薬効ガスを身体の一部（多くの場合患部）であって灸薬効の対象とされた当該広域領域に温かい灸薬効ガス３９を吹きかける。
【００４５】
この身体の局所への温かい灸薬効ガス３９の吹きかけによって、灸薬効ガス吹きかけステップ４０が形成される。
【００４６】
保持部材２４は、灸薬効ガス生成手段２１を縦保持具４３、縦保持具４３に保持される横保持具４４、横保持具４４に設けられた本体保持具４５及び台座４６から形成される。
【００４７】
コントロール装置３６は、灸薬効ガスの生成、及び生成される灸薬効ガスの温度を三段階で調節する制御器である。当該広域領域によって熱感が異なることがあるので、スイッチの三段階（強・弱・切）で調節する。普通の場合は、「弱」が用いられる。
【００４８】
灸薬効ガス吹きかけ装置１０は、小型化して卓上載置型とすることが可能である。
【００４９】
灸薬効ガスの生成にもぐさを原料とした灸材から形成された固形体２２が用いられる。灸薬効ガス吹きかけ装置１０が、当該固形体に赤外線を照射して無煙の灸ガスを生成する灸薬効ガス生成手段２１、及び灸薬効ガスを身体の一部であって灸薬効ガスを身体の一部の灸薬効の対象とされた当該広域領域に吹きかける吹きかけ手段である局所吹きかけガス誘導手段２３を備えて構成される。
【００５０】
当該広域領域に局所的に吹きかける局所吹きかけガス誘導手段２３の構成に基づいて灸薬効ガスを身体の一部の灸薬効の対象とされた当該広域領域に局所的に吹き付け可能な吹きかける灸薬効ガス吹きかけステップ４０を、実行コースに組み込んで実施することが可能とされる。
【００５１】
図２に戻って、コース提示装置１１が、
身体上の美容処置あるいは健康処置の複数のステップの組み合わせで、かつ時系列で形成された画面表示可能な現状の複数のコースについてのコースデータが取得される（１２２）。
【００５２】
画面表示手段の画面に、コースデータから取得された複数のコースを表示し、コースごとに、施術者からの指示に対応して灸薬効ガス吹きかけ装置による灸薬効ガス吹きかけステップを加えて時系列に整列させた、身体上の美容処置あるいは健康処置の複数のステップに灸薬効ガス吹きかけステップを組み合わせた画面表示可能な複数の素コースを取得する（１２３）。
【００５３】
施術者の指示に基づいて、一つもしくは複数の当該広域領域への灸薬効ガス吹きかけ実行ステップを選択し、前記画面に表示された灸薬効ガス吹きかけステップを、選択された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを取得する（１２４）。
【００５４】
このように、薬効ガス吹きかけステップを、選択された当該広域領域への灸薬効ガス吹きかけ実行ステップに書き換えがなされて、コースデータとして取得された複数のコース、取得された複数の素コース及び選択された一つの素コース、取得された実行コースが画面に順次表示可能とされる。また、取得された複数の実行コースが前記格納手段に格納される（１２５）。
【００５５】
当該実行コースを画面に表示して、当該実行コースについて承認確定するため利用者承認確定に供し、実行コースの承認確定画面を決定する（１２６）。
【００５６】
最終的に確定される実行コース取得のためにＩＴ技術が活用される。
【００５７】
当該承認確定された実行コースに設定された灸薬効ガス吹きかけステップ時、灸薬効を持つガス吹きかけがなされる（１２７）。
【００５８】
画面表示された３つの画面に基づいて各種の施術者の持つ技術・特技が生かされた身体上の美容処置あるいは健康処置の効果を向上させる美容処置効果向上方法あるいは健康処置効果向上方法が構成される（１２８）。
【００５９】
図４は、身体及び身体上に表示された灸薬効ガスを身体の一部であって灸薬効の対象とされた当該広域領域の例を示す図である。
【００６０】
当該広域領域の例として、画面に、首の後ろ側、肩部、背中部、腹部、腰部、ヘソ下部、手首表部、手首裏部、腕部、足くるぶし上部、ひざ部、足くるぶし上部が表示され、当該画面にスカート４１でカバーされる範囲が表示される。
【００６１】
図５は、灸薬効ガスを身体の一部であって灸薬効の対象とされた当該広域領域の表示例を示す図である。当該広域領域は、ガス誘導手段２３の末広がり状のスカート４１で身体上にカバーされる領域であり、一般的にいわれるツボを一つもしくは複数含んだ当該広域領域５０とされる。各当該広域領域が、このように形成された集合ツボ１〜集合ツボ１２の例で示され、集合ツボ１〜集合ツボ１２とスカート４１でカバーされる当該広域領域が表示される。集合ツボの例はこれら例に限定されず、また施術者がその専門分野の特徴を生かすために再編され得る。
【００６２】
お灸のツボと当該広域領域との関係：
病気になると、気血が滞って気血の流れがうまくいかなくなり、停滞する所ができる。この局所がツボとよばれている。停滞する局所を刺激すると、流れがよくなり、健康体を取り戻すことができる。体質や体調、その日の身体の状態によって、ツボすなわち局所は刻々とその表情を変化させる。通常ツボが選択され、灸薬効の対象とされた部位に施灸がなされる。例えば、首の頭部の境界部は風池と呼ばれ、肩部は肩井と呼ばれ、内くるぶしから指４本分あがったところは三陰交と呼ばれ、膝の皿のすぐ外側にある窪みから指４本下がったすねのふちは足の三里と呼ばれるように、多数のツボははるか昔から知られ、経験でツボが特定されてきた。本実施例の場合、これらの複数のツボを広域に、ただし局所的に限定された当該広域領域に熱感のある灸薬効ガスを吹きかける。
【００６３】
本実施例において、各種の施術者は、当該広域領域設定、指定して、当該広域領域を示す集合ツボ１〜ツボ１２で示されるような集合ツボを一つあるいは複数個容易に特定し得る。
【００６４】
図２に示されるコース提示装置１１の画面に、コースデータとして取得された複数のコース、取得された複数の素コース及び取得された複数の実行コースが画面に順次表示される。
【００６５】
図６〜図１４は、コースデータとして取得された複数のコース、取得された複数の素コース及び取得された複数の実行コースが画面に順次表示される例を示す図である。
【００６６】
図６〜図８は、美容処置効果向上あるいは健康処置効果向上のために取得された現状のコースの例を示す図である。
【００６７】
図６は、美容処置効果向上あるいは健康処置効果向上のために取得された現状のコースの内、Ａ．美容処置効果向上のための現状コースの例を示す図である。
【００６８】
現状コースの例は、施術者によって画面上にテンプル画面として表示される。
【００６９】
例えば美容院１の場合、画面に
（１） 美容鍼＋シンメトリー整顔
（２） 美容鍼＋海藻パックエステ
（３） 美容鍼＋更年期骨盤矯正
が表示される。これらの現状のコースにはそれぞれのコースについて理由料金が提示されるのが普通である。
【００７０】
先述したように、身体上の美容処置あるいは健康処置の複数のステップの組み合わせで、かつ時系列で形成された画面表示可能な現状の複数のコースについてのコースデータが取得される（１２２）。
【００７１】
図７は、美容処置効果向上あるいは健康処置効果向上のために取得された現状のコースの内、Ｂ．健康処置効果向上のために取得された現状のコースの例を示す図である。
【００７２】
図６と同様に、現状コースの例が、施術者によって画面上にテンプル画面として表示される。
【００７３】
図８は、美容処置効果向上あるいは健康処置効果向上のために取得された現状のコースの内、Ｃ．美容処置効果向上及び健康処置効果向上のために取得された現状のコースの例を示す図である。
【００７４】
図６と同様に、現状コースの例が、施術者によって画面上にテンプル画面として表示される。
【００７５】
図９〜図１１は、美容処置効果向上あるいは健康処置効果向上のために取得された素コースの例を示す図である。図９〜図１１は、図６〜図８にそれぞれ対応する。
【００７６】
図９は、美容処置効果向上あるいは健康処置効果向上のために取得された素コースの内、Ａ．美容処置効果向上のための素コースの例を示す図である。
【００７７】
画面表示手段の画面に、コースデータから取得された複数のコースを表示し、コースごとに、当該施術者からの指示に対応して灸薬効ガス吹きかけ装置による灸薬効ガス吹きかけステップを加えて時系列に整列させた、身体上の美容処置あるいは健康処置の複数のステップの組み合わせに灸薬効ガス吹きかけステップを加えた画面表示可能な複数の素コースが取得される（１２３）。
【００７８】
これらの現状のコースにはそれぞれのコースについて理由料金が付加され、利用者に提示される。
【００７９】
図１０は、美容処置効果向上あるいは健康処置効果向上のために取得された素コースの内、Ｂ．健康処置効果向上のために取得された素コースの例を示す図である。
【００８０】
図９と同様に、素コースの例が、施術者によって画面上に表示される。
【００８１】
図１１は、美容処置効果向上あるいは健康処置効果向上のために取得された素コースの内、Ｃ．美容処置効果向上及び健康処置効果向上のために取得された素コースの例を示す図である。
【００８２】
図９と同様に、素コースの例が、施術者によって画面上に表示される。
【００８３】
図１２〜図１４は、美容処置効果向上あるいは健康処置効果向上のために取得された実行コースの例を示す図である。図９〜図１１は、図８〜図１０及び図６〜図８にそれぞれ対応する。
【００８４】
図１２は、美容処置効果向上あるいは健康処置効果向上のために取得された実行コースの内、Ａ．美容処置効果向上のための実行コースの例を示す図である。
【００８５】
施術者の指示に基づいて、一つもしくは複数の当該広域領域への灸薬効ガス吹きかけ実行ステップを選択し、前記画面に表示された灸薬効ガス吹きかけステップを、選択された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースが取得される（１２４）。これらの組み合わせでは、１２個の集合ツボのうちの集合ツボが羅列されるが、この例に限定されない。
【００８６】
前記身体上の美容処置あるいは健康処置の複数のステップに灸薬効ガス吹きかけ実行ステップを組み合わせて実行コースを形成することで、身体上の美容処置あるいは健康処置の複数のステップによる美容処置上あるいは健康処置上の効果が向上し、集合ツボに対する温化された灸薬効効果が加わって、相乗された美容処置上あるいは健康処置上の効果が得られる。
【００８７】
図１３は、美容処置効果向上あるいは健康処置効果向上のために取得された実行コースの内、Ｂ．健康処置効果向上のために取得された実行コースの例を示す図である。
【００８８】
図１２に示すと同様に、実行コースの例が、施術者によって画面上に表示される。
【００８９】
前記身体上の美容処置あるいは健康処置の複数のステップに灸薬効ガス吹きかけ実行ステップを組み合わせて実行コースを形成することで、身体上の美容処置あるいは健康処置の複数のステップによる美容処置上あるいは健康処置上の効果が向上し、集合ツボに対する温化された灸薬効効果が加わって、相乗された美容処置上あるいは健康処置上の効果が得られる。
【００９０】
図１４は、美容処置効果向上あるいは健康処置効果向上のために取得された実行コースの内、Ｃ．美容処置効果向上及び健康処置効果向上のために取得された実行コースの例を示す図である。
【００９１】
図１２に示すと同様に、実行コースの例が、施術者２００によって画面上に表示される。
【００９２】
身体上の美容処置あるいは健康処置の複数のステップに灸薬効ガス吹きかけ実行ステップを組み合わせて実行コースを形成することで、身体上の美容処置あるいは健康処置の複数のステップによる美容処置上あるいは健康処置上の効果が向上し、集合ツボに対する温化された灸薬効効果が加わって、相乗された美容処置上あるいは健康処置上の効果が得られる。
【００９３】
このように、画面に表示された灸薬効ガス吹きかけステップが、選択された当該広域領域への灸薬効ガス吹きかけ実行ステップに書き換えられる。コースデータとして取得された複数のコース、取得された複数の素コース及び取得された複数の実行コースが画面に順次表示可能とされる。また、取得された複数の実行コースが前記格納手段に格納される（１２５）。
【００９４】
当該実行コースを画面に表示して、当該実行コースについて承認確定するため利用者承認確定に供し、実行コースの承認確定画面を決定する（１２６）。
【００９５】
当該承認確定された実行コースに従って、灸薬効ガス吹きかけステップ時、灸薬効を持つガス吹きかけがなされる（１２７）。
画面表示された３つの画面に基づいて各種の施術者の持つ技術・特技が生かされた身体上の美容処置あるいは健康処置の効果を向上させる美容処置効果向上方法あるいは健康処置効果向上方法が構成される（１２８）。
【００９６】
コース提示装置１１が、例えばスマホである場合、施術者２００は、スマホに身体上の美容処置あるいは健康処置の効果を向上させる美容処置効果向上方法あるいは健康処置効果向上方法を構成するためのアプリを備える。当該アプリは、部外者である灸薬効ガス吹きかけに関与するサービス業者から施術者に提供される。また、当該アプリの使用によって、複数のブロック欄が羅列され、これらのブロック欄に施術者ごとに複数のステップ及びその内の一つのブロックに灸薬効ガス吹きかけステップが記載可能とされ、灸薬効ガス吹きかけステップに代えて実行ステップを書き換えるためのテンプルが準備される。
【００９７】
美容処置あるいは健康処置の効果を向上させる美容処置効果向上方法あるいは健康処置効果向上方法を構成するためのアプリの活用によって、コースデータから取得されたコースごとに、コースを構成する身体上の美容処置あるいは健康処置ステップに施術者からの指示に対応して灸薬効ガス吹きかけ装置による灸薬効ガス吹きかけステップを組み合わせて時系列に整列させた素コースが、トリートメント料金を付加されてインターネットに公開される。利用者は、この公開情報を見て、インターネットを介して素コースに一つを利用する意思がある旨、施術者に伝える。
【００９８】
施術者とのメール交換で、面談日、実行コースの実行日が設定される。
【００９９】
面談日には、実行コースの設定のための面談がなされる。利用者の過去のデータが参照されるなどして、利用者が訴える身体上の問題が把握され、問題解決に有効で、施術者から施術者が従来から持つ自己のコースに適合する灸薬効ガス吹きかけ実行ステップの選択のために、施術者から利用者に広域部位データに基づいて、当該広域領域への灸薬効ガス吹きかけ実行ステップが画面に表示され、選択指示に基づいて、一つもしくは複数の当該広域領域への灸薬効ガス吹きかけ実行ステップが選択される。画面に表示された灸薬効ガス吹きかけステップを、選択された当該広域領域への灸薬効ガス吹きかけ実行ステップに書き換えがなされる。当該広域領域への灸薬効ガス吹きかけ実行ステップが画面に表示の画面への表示に代えて、当該広域領域への灸薬効ガス吹きかけ実行ステップは、説明図を表示した紙によるデータが用いられてもよい。この場合にあっても、画面に表示された灸薬効ガス吹きかけステップを、選択された当該広域領域への灸薬効ガス吹きかけ実行ステップに書き換えがなされる。  
身体上の美容処置あるいは健康処置の複数のステップに灸薬効ガス吹きかけ実行ステップを組み合わせた実行コースが形成されて画面に表示される。この実行コースには、素コースに付加された料金が付加されて画面表示される。画面に表示された実行コースが承認確定するため利用者承認確定に供され、画面上の実行コースの承認の確定がなされ、決定される。この決定に基づいて、実行コースの実施がなされる。
【０１００】
本実施例によれば、無煙の灸薬効ガスを生成し、灸薬効ガスを当該広域領域に吹きかけるに際して実行ステップへの書き換え設定がなされて、実行コースが設定されるものであるので、気持ちのよい灸薬効ガス温熱が吹きかけられものであり、当該広域領域に吹きかけるに当たって、熱そう、臭いがきつそうというイメージが払しょくされ、かつ画面表示された上述の２つの画面に基づいて各種の施術者の持つ技術・特技が生かされた身体上の美容処置あるいは健康処置の効果を向上させる美容処置効果向上方法あるいは健康処置効果向上方法が構成される。
【符号の説明】
【０１０１】
１００…美容処置効果向上のための装置あるいは健康処置効果向上のための装置、２００…施術者、１…素コースの画面表示、２…実行コースの画面表示、３…実行コースの承認確定画面の決定、４…美容処理効果向上方法あるいは健康処理効果向上方法の構成完了、９…施術者の持つ各種コース実施のための装置、１０…灸薬効ガス吹きかけ装置、１１…コース提示装置、１２…広域領域部位データ、２１…灸薬効ガス生成手段、２２…もぐさ原料の固形体、２３…局所吹きかけガス誘導手段、２４…灸薬効ガス生成手段２１の保持部材、３９…灸薬効ガス、４０…灸薬効ガス吹きかけステップ、４１…スカート、５０…当該広域領域、１０１…演算処理手段、１０２…格納手段、１０３…画面表示手段、１２１…準備、１２２…コースデータの取得、１２３…素コースの取得、１２４…実行コースの取得、１２５…複数のコース、複数の素コース及び実行コースの画面表示と格納、１２６…利用者承認確定、１２７…承認確定された実行コースの実行、１２８…美容処理効果向上方法あるいは健康処理効果向上方法の構成。
【要約】
【課題】灸薬効ガスを身体の患部であって灸薬効の対象とされた部位に局所的に吹きかけるステップを組み込み得るようにして、従前のお灸が持つ、熱そう、臭いがきつそうというイメージを払しょくしながら、各種の施術者による従前の各種の美容処置コースあるいは健康処置コースに、灸薬効ガス吹きかけステップが簡便に組み込まれ得て、双方の持つ効果を相乗させ、一層の美容処置効果あるいは健康処置効果を増大させる。
【解決手段】施術者の指示に基づいて、一つもしくは複数の部位を局所的に広域に含んだ広域領域への灸薬効ガス吹きかけ実行ステップを選択し、前記画面に表示された灸薬効ガス吹きかけステップを、選択された当該広域領域への灸薬効ガス吹きかけ実行ステップに書き換え設定し、前記身体上の美容処置あるいは健康処置の複数のステップに灸薬効ガス吹きかけ実行ステップを組み合わせた実行コースを取得する。
【選択図】図２【図１】
0006621162.tif 000002
【図２】
0006621162.tif 000003
【図３】
0006621162.tif 000004
【図４】
0006621162.tif 000005
【図５】
0006621162.tif 000006
【図６】
0006621162.tif 000007
【図７】
0006621162.tif 000008
【図８】
0006621162.tif 000009
【図９】
0006621162.tif 000010
【図１０】
0006621162.tif 000011
【図１１】
0006621162.tif 000012
【図１２】
0006621162.tif 000013
【図１３】
0006621162.tif 000014
【図１４】
0006621162.tif 000015